(57)【要約】【課題】  構造物への取付の際、取扱い簡単で、かつ小型化の容易なケーブル類保持具を提供することを目的とする。【解決手段】  構造物Ｐの取付部へ巻き締めされる緊締バンドＡにより該取付部との間で挟圧されて固定されるケーブル類保持具１において、ケーブル類保持具は弾性材料で一部材として作られていてケーブル類を直接もしくはブッシュＢを介して間接的に保持するための複数の保持孔４，５が上記取付面と接する接触面２に沿って配列形成され、各保持孔４，５は上記接触面で開口せるスリット７，８と連通し、取付部への取付に先立ちケーブルもしくはケーブルが挿入されたブッシュを保持孔に挿入する際に上記スリットの幅及び保持孔の内径を大きくし取付部への取付のために緊締バンドＡで緊締した際に上記スリットの幅及び保持孔の内径を小さくするように、ケーブル類保持具が弾性変形して接触面での形状変化が可能となっている。【選択図】  図３
2005295606.tif 000002
【特許請求の範囲】
【請求項１】
構造物の取付部へ巻き締めされる緊締バンドにより該取付部との間で挟圧されて固定されるケーブル類保持具において、ケーブル類保持具は弾性材料で一部材として作られていてケーブル類を直接もしくはブッシュを介して間接的に保持するための複数の保持孔が上記取付面と接する接触面に沿って配列形成され、各保持孔は上記接触面で開口せるスリットと連通し、取付部への取付に先立ちケーブルもしくはケーブルが挿入されたブッシュを保持孔に挿入する際に上記スリットの幅及び保持孔の内径を大きくし取付部への取付のために緊締バンドで緊締した際に上記スリットの幅及び保持孔の内径を小さくするように、ケーブル類保持具が弾性変形して接触面での形状変化が可能となっていることを特徴とするケーブル類保持具。
【請求項２】
ケーブル類保持具はゴム材で作られていることとする請求項１に記載のケーブル類保持具。
【請求項３】
ケーブル類保持具は接触面と反対側の面に緊締バンドの案内のための溝部が形成されていることとする請求項１又は請求項２に記載のケーブル類保持具。
【請求項４】
保持孔は、ブッシュの外周面に形成されたフランジ部を収容する内周溝が形成されていることとする請求項１に記載のケーブル類保持具。
【請求項５】
ケーブル類保持具は構造物の取付部と接する接触面が該取付部の曲面に適合して凹弯曲していることとする請求項１ないし請求項３のうちの一つに記載のケーブル類保持具。
【請求項６】
接触面は取付面に対する捕捉力向上のための細かな凹凸が形成されていることとする請求項１ないし請求項５のうちの一つに記載のケーブル類保持具。
【発明の詳細な説明】
【技術分野】
【０００１】
本発明は、支柱、鉄塔等の構造物に取り付けられケーブル類を保持するケーブル類保持具に関する。
【背景技術】
【０００２】
この種のケーブル保持具であって、ケーブルの外周面を傷めることなく保持具として特許文献１に開示されているものが知られている。
【０００３】
この特許文献１のものは、添付図面の図４に示されるように、複数のホルダ５１（図示の例では三つのホルダ）を有し、各ホルダ５１でケーブルＣを保持し、電柱Ｐに巻き締めされるバンド５２でケーブルＣをホルダ５１を介して電柱Ｐに対して挟圧保持する。
【０００４】
上記ホルダ５１は弾性材料で作られており、二つのフィンガ状部５３，５４を対向して有し、該二つのフィンガ状部５３，５４の対向内面の奥部にケーブル保持溝５３を形成している。又、上記ホルダ５１は、電柱Ｐに接触する背面５５寄りの一方の側面に円の一部をなす形状の突部５６そして他方の側面に同様の形状の凹部５７を有している。このようなホルダ５１は、一つのホルダ５１が隣接する他のホルダ５１と、突部５６と凹部５７との嵌合により、図４のごとく、連接して配置され、ホルダ５１同士が上記突部５６と凹部５７を中心として回転自由なため、複数のホルダ５１は背面５５が電柱Ｐの曲面に沿うことができる。
【０００５】
各ホルダ５１の保持溝５３に収容されたケーブルＣは、フィンガ状部５３，５４にて案内されるバンド５２により締められて、ホルダ５１と共に電柱Ｐに対し不動となる。
【特許文献１】特開平１０−３３９８３５（図１、図２）
【発明の開示】
【発明が解決しようとする課題】
【０００６】
しかしながら、既述した特許文献１のケーブル保持具にあっては、電柱への取付作業時、さらには取付後において改善されるべき点をかかえている。
【０００７】
先ず、取付作業時には、複数のケーブルを保持するために、相当数のホルダを用意し、これらを上記突部と凹部で嵌合して連接しなくてはならず、手間がかかる。又、嵌合させても、比較的不安定で電柱への取付までにあるいは取付作業中にホルダ同士が外れ易い。
【０００８】
又、取付後にあっては、バンドがケーブルを直接締めるので、バンドがケーブルに対し局部的に喰い込んでケーブルを傷め易い。
【０００９】
さらには、ケーブルの本数の数だけ用意しなければならないホルダは、強度等を確保するために所定の幅寸法が必要であり、複数のケーブルを保持するとき、ケーブル同士の間隔を狭くすることができず、結果として幅寸法（ケーブルの配列方向）に大寸法となってしまう。
【００１０】
本発明は、このような事情に鑑み、取扱いそして取付作業が簡単で、ケーブルを傷めることなく、又、小型化を可能とするケーブル類保持具を提供することを目的とする。
【課題を解決するための手段】
【００１１】
本発明に係るケーブル類保持具は、構造物の取付部へ巻き締めされる緊締バンドにより
該取付部との間で挟圧されて固定される。
【００１２】
かかるケーブル類保持具において、本発明では、ケーブル類保持具は弾性材料で一部材として作られていてケーブル類を直接もしくはブッシュを介して間接的に保持するための複数の保持孔が上記取付面と接する接触面に沿って配列形成され、各保持孔は上記接触面で開口せるスリットと連通していることを特徴としている。その結果、取付部への取付に先立ちケーブルもしくはケーブルが挿入されたブッシュを保持孔に挿入する際に上記スリットの幅及び保持孔の内径を大きくし取付部への取付のために緊締バンドで緊締した際に上記スリットの幅及び保持孔の内径を小さくするように、ケーブル類保持具が弾性変形して接触面での形状変化が可能となる。
【００１３】
又、ケーブル類保持器具は、弾性材料で作られそして保持孔の配列方向に長く形成されるようになるので、接触面は、例えば凹弯曲しているとき、その曲率半径が取付面に対応して追従した撓み変形が可能となり、一つのケーブル類保持器でも種々の径あるいは面の取付面をもつ構造物に対して使用できる。
【００１４】
使用の際には、先ず、ケーブル類保持具を、接触面側が拡がるように、すなわちスリット幅が拡がる方向に弯曲弾性変形させて保持孔の内径を大きくし、ここにケーブルを挿入する。この弾性変形を生じせしめている外力を解除すれば、ケーブルは保持孔で保持される。かかるケーブル類保持具をその接触面で構造物の取付部に接面せしめてから、反対側の面で該ケーブル類保持具をバンドにて緊締する。その結果、ケーブルはケーブル類保持具の弾性圧縮力により、さらにしっかりと保持されることとなる。
【００１５】
本発明において、ケーブル類保持具はゴム材で作ることができる。
【００１６】
又、本発明において、ケーブル類保持具は接触面と反対側の面に緊締バンドの案内のための溝部が形成されていることが好ましい。こうすることにより、バンドを緊締前においても、ケーブル類保持具に対して所定位置に安定して維持でき、確実な緊締が行える。
【００１７】
さらには、保持孔は、ブッシュの外周面に形成されたフランジ部を収容する内周溝が形成されているようにすることができる。ブッシュを用いることにより、保持孔よりも小径のケーブルを単数であるいは複数まとめて一つの保持孔で保持できる。この場合、ブッシュのフランジ部を上記内周溝に収容すれば、バンドの緊締作業中でも、ケーブルはブッシュを介して安定して所定位置に保たれる。
【００１８】
さらには、ケーブル類保持具は構造物の取付部と接する接触面が該取付部の曲面に適合して凹弯曲しているようにすることが好ましい。こうすることにより、ケーブル類保持具は無理な変形をしなくともよく、構造物の取付部に対して均等な接圧をもって取り付けられる。
【００１９】
さらに好ましくは、接触面は取付面に対する捕捉力の向上のために細かな凹凸が形成されている。
【００２０】
なお、本発明において、ケーブル類とは、電線、光ケーブル等のケーブルのみならず、一般に線条体と理解され、構造物に対し配線位置が固定されるべきものを指すこととする。
【発明の効果】
【００２１】
本発明は、以上のごとく、ケーブル類保持具を弾性材料で一部材とし、複数のケーブル用保持孔を形成すると共に、構造物への取付面たる接触面に開口するスリットを各保持孔
に連通させることとしたので、ケーブル用保持孔を弾性変形させることにより上記スリットと保持孔を簡単に拡げられ、ケーブル類の装着が容易に行われ、構造物への取付も複数のケーブルを一括して、バンドの緊締により簡単に行われるようになり、作業効率を向上させる。又、各保持孔はケーブル類の周囲をほぼ完全に包囲して、緊締用のバンドと接触することがないので、ケーブルが傷められることもない。さらには、複数の保持孔は一部材としてのケーブル類保持具に形成されるので、保持孔同士間が比較的近接して設定でき、ケーブル類保持具は小型化される。
【００２２】
さらには複数の保持孔が取付面に接する接触面に沿って配列形成されているので、ケーブル類保持具は配列方向に長いものとなり、弾性材料で作られていることと相俟って、取付面が円柱の一部であるとき、接触面が取付面に追従して容易に弯曲変形し、したがって、上方に向けて半径が次第に細くなる電柱や、異なる径の電柱に対して、同一の部材で対応するという効果も得る。
【発明を実施するための最良の形態】
【００２３】
以下、添付図面の図１ないし図３にもとづき、本発明の実施形態を説明する。
【００２４】
図１において、符号１はケーブル類保持具を示し、該ケーブル類保持具１は、弾性材料、例えばゴム材で作られており、一部材として形成されている。弾性材料はゴム材に限らず、例えば弾性を有する合成樹脂でもよい。又、ケーブル類保持具１は、一部材として形成されてはいるものの、単一材料で作られていることに限定されず、部分的に異なる材料で形成されていてもよい。それにより異なる部位での、特性、例えば、弾性、剛性、滑りあるいは摩擦特性等を適切なものに設定できる。又、ケーブル類保持具１をモールド成形する際に、一部に付属金具、例えばねじ孔やねじ体、吊具等を一体に成形しておくことも可能である。
【００２５】
上記弾性部材から成るケーブル類保持具１、弯曲した平面形状そして略矩形断面を有し、横方向に長く延びている。凹弯曲した内側面２は、図示しない構造物、例えば断面円形の支柱の周面（取付部）に沿った曲面で接触面を形成している。外側面３は上記内側面２にほぼ沿った凸弯曲している。
【００２６】
上記ケーブル類保持具１は、上記内側面２と外側面３との間で、その長手方向（図１（Ａ）にて横方向）に比較的大きい円形の四つの保持孔４がほぼ等間隔で配列形成され、長手方向で端部寄りの一つの小さな保持孔５が形成されている。
【００２７】
上記ケーブル類保持具１は、上述のごとく弾性材料から作られており、しかも、複数の保持孔４の配列方向に長い部材となるので、撓み易く、例えば、取付部をなす支柱周面の直径が種々存在していても、これに追従して弾性撓み変形でき、対応の幅が拡がる。
【００２８】
比較的大きい内径の保持孔４は、複数のケーブルを保持する後述のブッシュに適合する内径で内面が円筒状をなし、その軸線方向中央位置に、上記ブッシュに形成されたフランジ部を収容する内周溝６が形成されている。又、小さい内径の保持孔５は単一のケーブルを直接保持するように該ケーブルの直径にほぼ等しい内径の円筒状内面を有している。
【００２９】
上記接触面をなす内側面２には、上記保持孔４，５に連通するスリット７，８がそれぞれ開口形成されている。これらのスリット７，８は、比較的自由にその溝幅を設定できる。溝幅が広い程、保持対象のブッシュあるいはケーブルの直径範囲を広くすることができるが、その分だけ保持面積が減少する。
【００３０】
上記ケーブル類保持具１の外側面３には、図１（Ｂ）にて高さ方向中央位置に、後述す
るバンドの案内のための溝部９が該ケーブル類保持具１の長手方向に沿ってこの長手方向の全範囲に形成されている。又、この長手方向での中央部には、バンドを緊締する金具のための逃げ部１０も形成されている。
【００３１】
かかるケーブル類保持具１は、次の要領で使用される。
【００３２】
１．先ず、図２（Ａ），（Ｂ）に見られるように、保持孔４に挿入されるブッシュＢを用意し、これでケーブルＣを支持する。ブッシュＢは、ゴム材で作られていて、図示の例の場合、保持孔４の内径及び内周溝６に適合する外径の円筒外面Ｂ１とフランジ部Ｂ２とを有し、さらには、ケーブルＣを二本収容するために二つの円筒孔がそれらの一部で連通する挿入孔Ｂ３及びこれから外面Ｂ１に開口するスリットＢ４を有している。かかるブッシュＢに対して、上記スリットＢ４を拡げるようにして、二本のケーブルＣを上記挿入孔Ｂ３内に収める。スリットＢ４を拡げるための力を解除すると、ブッシュＢの弾性力によりケーブルＣは軽い力で支持される。
【００３３】
２．このように二本のケーブルＣを支持するブッシュＢを、図２（Ａ）のごとく、ケーブル類保持具１の保持孔４へ挿入する。この挿入は、図１（Ａ）にて、内側面２が平らに近づく方向へケーブル類保持具１を弾性撓みを起こさせて、スリット７そして保持孔６を拡げ、この拡径した各保持孔４内へ上記対応ブッシュＢを配することにより行われる。上記撓みを生じせしめていた力を解除すれば、図３のごとく、保持孔４が元の円形にもどりブッシュＢを軽い力で支持する。その際、ブッシュＢのフランジ部Ｂ２は保持孔４の内周溝６に嵌まり軸方向でも抜け落ちることはない。又、単独のケーブルＣも、同様の要領でスリット８と保持孔５が拡げられて、ここに収められる（図３参照）。
【００３４】
３．このように、ケーブルＣを支持するブッシュＢを保持孔４に収め、そしてケーブルＣを直接保持孔５に収めたケーブル類保持具１は、次に、構造物、例えば、電柱等の支柱Ｐにもたらされ、該支柱Ｐに巻回される緊締バンドＡにより、該支柱Ｐへしっかりと取り付けられる。取付の際、バンドＡはケーブル類保持具の溝部９で案内され、その締め金具Ａ１により締められる。この締め金具Ａ１は、通常ねじをまわすことによりバンドＡを締め上げるようになっているが、かかるバンド及び締め金具自体は公知であり、ここではこれ以上詳説しない。このように、バンドＡでケーブル類保持具１を締め付けると、弾性部材から成る該ケーブル類保持具１は支柱Ｐの方へ弾性圧縮された状態で上記バンドＡと支柱Ｐとの間で挟圧保持され、スリット７，８の幅を狭めると共に保持孔４，５の径も小さくなり、保持孔４ではブッシュＢをブッシュＢを介してそして保持孔５で直接ケーブルＣが堅持されることとなる。
【００３５】
本発明は、図示の実施形態に限定されず、種々変形が可能である。
【００３６】
先ず、ケーブル類保持具は、ゴム材に限らず、他の弾性材料、例えば、合成樹脂でも作れるし、部分的に異種の材料とすることも、あるいは、一体モールド成形で金具等の部材を具備することも可能である。
【００３７】
又、保持孔が種々の内径としたときには、スリット幅もそれに対応して決めることができる。さらに保持孔は、円形と限らず、保持すべきケーブルあるいはブッシュの断面形状により定められる。
【００３８】
さらには、構造物の取付面と接面する内側面（接触面）は、この取付面の形状により定まる。例えば、構造物が角柱であったり、鉄骨構造で取付部が平坦面である場合には、これに対して上記接触面も平坦面となる。又、この接触面に、取付面に対する捕捉力を高めるために細かな凹凸を設けることも一策である。
【図面の簡単な説明】
【００３９】
【図１】本発明のケーブル類保持具の一形態を示し、（Ａ）は、一部断面の平面図、（Ｂ）は（Ａ）におけるＢ−Ｂ線断面図である。
【図２】図１のケーブル類保持具の保持孔とそこに挿入されるブッシュを示すものであり、（Ａ）は保持孔と挿入前のブッシュとを示す断面図、（Ｂ）はブッシュについての一部破断平面図である。
【図３】図１のケーブル類保持具の使用状態を示す一部破断平面図である。
【図４】従来例を示すケーブル類保持具の使用状態における平面図である。
【符号の説明】
【００４０】
１  ケーブル類保持具
２  接触面（内側面）
４，５  保持孔
６  内周溝
７，８  スリット
９  溝部
Ａ  緊締バンド
Ｂ  ブッシュ
Ｂ２  フランジ部
【図１】
2005295606.tif 000003
【図２】
2005295606.tif 000004
【図３】
2005295606.tif 000005
【図４】
2005295606.tif 000006